(57)【要約】【課題】システムの簡素化および非常用電源の適正な動作を実現することができる信号制御装置を提供する。【解決手段】信号制御装置１００は、外部給電用の端子部２２０と、商用電源Ｃに接続された第１の電力供給経路２７０と、端子部２２０に接続された第２の電力供給経路２８０と、手動切替スイッチ２３０と、制御ユニット１２０とを具備する。手動切替スイッチ２３０は、第１の電力供給経路２７０に接続される第１の状態と、第２の電力供給経路２８０に接続される第２の状態とを選択的に切替可能に構成される。制御ユニット１２０は、手動切替スイッチ２３０が上記第１の状態のときは第１の消費電力で信号機の駆動を制御し、手動切替スイッチ２３０が上記第２の状態のときは上記第１の消費電力よりも低い第２の消費電力で上記信号機の駆動を制御するように構成される。【選択図】図５
2015141654.tif 000002
【特許請求の範囲】
【請求項１】
外部給電用の端子部と、
商用電源に接続可能な第１の電力供給経路と、
前記端子部に接続された第２の電力供給経路と、
前記第１の電力供給経路に接続される第１の状態と、前記第２の電力供給経路に接続される第２の状態とを選択的に切替可能に構成された手動切替スイッチと、
前記手動切替スイッチと信号機との間に接続され、前記手動切替スイッチが前記第１の状態のときは第１の消費電力で前記信号機の駆動を制御し、前記手動切替スイッチが前記第２の状態のときは前記第１の消費電力よりも低い第２の消費電力で前記信号機の駆動を制御するように構成された制御ユニットと
を具備する信号制御装置。
【請求項２】
請求項１に記載の信号制御装置であって、
前記制御ユニットは、前記第１の状態から前記第２の状態への前記手動切替スイッチの切替操作に連動して、前記信号機の駆動を前記第２の消費電力で制御する
信号制御装置。
【請求項３】
請求項１または２に記載の信号制御装置であって、
前記制御ユニットは、前記手動切替スイッチが前記第２の状態のときは、前記信号機の機能の一部を制限する
信号制御装置。
【請求項４】
請求項３に記載の信号制御装置であって、
前記信号機は、単数または複数の信号灯器を有し、
前記制御ユニットは、前記手動切替スイッチが前記第２の状態のときは、前記信号灯器の発光輝度を前記第１の制御モードにおける発光輝度よりも低下させる
信号制御装置。
【請求項５】
請求項３に記載の信号制御装置であって、
前記信号機は、交通量を検出するセンサを有し、
前記制御ユニットは、前記手動切替スイッチが前記第２の状態のときは、前記センサの動作を停止させる
信号制御装置。
【請求項６】
請求項３に記載の信号制御装置であって、
前記信号機は、情報の送受信を行うことが可能な通信部を有し、
前記制御ユニットは、前記手動切替スイッチが前記第２の状態のときは、前記通信部の動作を停止させる
信号制御装置。
【請求項７】
請求項１〜６のいずれか１つに記載の信号制御装置であって、
前記第１の電力供給経路に接続され、商用電源の通電時に点灯する表示灯をさらに具備する
信号制御装置。
【発明の詳細な説明】
【技術分野】
【０００１】
本発明は、停電時に外部電源を用いて信号機の駆動を制御することが可能な信号制御装置に関する。
【背景技術】
【０００２】
通常、道路の交差点などに設置される交通用の信号機には、商用電源が供給される。送電トラブルや地震などの災害により停電が発生すると、信号機が滅灯して交通に混乱をきたすおそれがある。このような事態を避けるため、幹線道路や主要な交差点には、停電時に自動的に始動して信号機への送電を開始する発動発電機が設置されていることがある。
【０００３】
例えば特許文献１には、停電時に商用電源に替わって交通管理システムに電力を供給する燃料電池発電装置を備えた交通管理システム用非常用燃料電池発電装置の運用方法が記載されている。この交通管理システムは、商用電源が停止し、非常用燃料電池発電装置が運転された場合、その運転時間を測定し、当該運転時間が予め定められた所定時間以上となった場合に、車両用信号機及び歩行者用信号機或いは交通指示標識の点灯輝度を減じる等の制御を実行するように構成されている。
【先行技術文献】
【特許文献】
【０００４】
【特許文献１】特許第４５００２４０号公報
【発明の概要】
【発明が解決しようとする課題】
【０００５】
上記特許文献１に記載の方法は、商用電源の停電時における発電装置の起動と商用電源の復電時における発電装置の運転停止とを自動的に行うようにしている。このため、上記方法では、商用電源の停電および復電を検出する回路やセンサが別途必要になりシステムが複雑化するという問題がある。また、停電および復電の誤検出が生じると、非常用電源を安定に動作させることができないだけでなく、システムの誤作動を確認することも困難である。
【０００６】
以上のような事情に鑑み、本発明の目的は、システムの簡素化および非常用電源の適正な動作を実現することができる信号制御装置を提供することにある。
【課題を解決するための手段】
【０００７】
上記目的を達成するため、本発明の一形態に係る信号制御装置は、端子部と、第１の電力供給経路と、第２の電力供給経路と、手動切替スイッチと、制御ユニットとを具備する。
上記端子部は、外部給電用の端子部である。
上記第１の電力供給経路は、商用電源に接続可能である。
上記第２の電力供給経路は、上記端子部に接続される。
上記手動切替スイッチは、上記第１の電力供給経路に接続される第１の状態と、上記第２の電力供給経路に接続される第２の状態とを選択的に切替可能に構成される。
上記制御ユニットは、上記手動切替スイッチと信号機との間に接続される。上記制御ユニットは、上記手動切替スイッチが上記第１の状態のときは第１の消費電力で上記信号機の駆動を制御する。上記制御ユニットは、上記手動切替スイッチが上記第２の状態のときは上記第１の消費電力よりも低い第２の消費電力で上記信号機の駆動を制御するように構成される。
【０００８】
上記信号制御装置は、商用電源を用いた信号機の駆動制御と、外部電源を用いた信号機の駆動制御とを手動切替スイッチによって切り替えるようにしている。これにより停電および復電を検出するためのセンサや回路が不要となるため、システムを簡素化することができるとともに、電源の切替動作が確実となるため、システムの誤作動を防ぐことができる。
【０００９】
また、上記信号制御装置において、制御ユニットは、手動切替スイッチが第２の状態のときは、商用電源で信号機の駆動を制御する通常時と比較して少ない消費電力で信号機の駆動を制御するように構成される。これにより、非常時における信号機の省エネルギー制御が可能となり、外部電源の長寿命化を図ることができる。
【００１０】
上記制御ユニットは、上記第１の状態から上記第２の状態への前記手動切替スイッチの切替操作に連動して、上記信号機の駆動を上記第２の消費電力で制御するように構成されてもよい。
これにより電源の切替と信号機の駆動モードの切替とを単一のスイッチで行うことができるとともに、操作性および動作の確実性を高めることができる。
【００１１】
外部電源からの給電時における信号機の駆動制御方法は特に限定されず、例えば、上記制御ユニットは、上記手動切替スイッチが上記第２の状態のときは、上記信号機の機能の一部を制限するように構成される。信号機の機能の一部には、例えば、灯器の発光機能の低下、交通量を検出するセンサの動作停止、複数の信号機間で情報の送受信を行う通信部の動作停止等が挙げられる。
【００１２】
上記信号制御装置は、表示灯をさらに具備してもよい。上記表示灯は、上記第１の電力供給経路に接続され、商用電源の通電時に点灯する。これにより、商用電源の停電および復電を確認することができる。
【発明の効果】
【００１３】
以上のように本発明によれば、システムの簡素化および非常用電源の適正な動作を実現することができる。
【図面の簡単な説明】
【００１４】
【図１】信号機の構成を示す正面図である。
【図２】本発明の一実施形態に係る信号制御装置の構成を示す斜視図である。
【図３】図２に示す外部給電ユニットの構成を示す斜視図である。
【図４】図２に示す外部給電ユニットおよび信号制御装置の構成を説明するブロック図である。
【図５】図２に示す制御ユニットの動作を説明するフローチャートである。
【発明を実施するための形態】
【００１５】
以下、図面を参照しながら、本発明の実施形態を説明する。
【００１６】
図１は、本発明の一実施形態に係る外部給電ユニットが導入される交通用の信号機１を示す図である。信号機１は、例えば車両用信号灯２Ａおよび歩行者用信号灯２Ｂと、これらの信号灯２Ａ，２Ｂを制御する信号制御装置１００を備える。信号灯２Ａ，２Ｂおよび信号制御装置１００は支柱３に取り付けられ、これらは電気ケーブルを介して接続される。
【００１７】
信号機１は交差点脇に複数設置されることがほとんどである。信号制御装置１００は、交差点毎に１つまたは複数設置される。信号制御装置１００は、人の手の届く高さ範囲、例えば１〜１．５ｍの高さ位置で支柱３に取り付けられる。
【００１８】
信号機１は、図示せずとも、交通量を検出するセンサ、情報の送受信を行うことが可能な通信部等を有する。
【００１９】
図２は、信号制御装置１００の構成を示す斜視図である。
【００２０】
図２に示すように、信号制御装置１００は、筐体１０１、制御ユニット１２０、手動操作ユニット１３０、ブレーカユニット１４０、および外部給電ユニット２００を備える。
【００２１】
図３は、外部給電ユニット２００の構成を示す斜視図である。図４は、信号制御装置１００の構成を説明するブロック図である。
【００２２】
筐体１０１は、前面の開口を有する本体１０２と、その本体１０２に開閉可能に設けられた主扉１０３とを備える。また、主扉１０３の所定位置には開口部１０３Ａが設けられ、図示しない副扉がその開口部１０３Ａを開閉可能に主扉１０３の表側（図２の紙面奥側）に接続されている。主扉１０３は、ヒンジ１０４により開閉可能に本体１０２に接続され、同様に、副扉もヒンジにより開閉可能に主扉１０３に接続されている。主扉１０３には施錠部１０５が設けられ、主扉１０３は本体１０２に対して施錠可能となっている。
【００２３】
制御ユニット１２０は、例えば、本体１０２内の上部に収容され、基本的に、１つ以上の信号灯２Ａ，２Ｂにおける点灯および点滅の時間を制御する。制御ユニット１２０は、後述するように、商用電源を電力源に用いて信号機１の駆動を制御する第１の制御モードと、外部電源を電力源に用いて信号機１の駆動を制御する第２の制御モードとを有する。
【００２４】
制御ユニット１２０は、前面に操作パネル１２１を有し、利用者（例えば警察関係者等）は、例えばこの操作パネル１２１を操作することにより、上記点灯時間や点灯順序を設定し、およびそれらを変更することができるように構成される。
【００２５】
制御ユニット１２０は、上記基本機能の他、点灯輝度の調整機能や、上記通信部による他の信号機や交通管制センターのコンピュータとの通信機能、上記センサによる交通量の検出機能等といった、信号機１に装備された種々の器具の付加機能（図４において参照符号４で示す）を制御する。
【００２６】
手動操作ユニット１３０は、主扉１０３の開口部１０３Ａに臨むように主扉１０３の内側に設けられている。具体的には、手動操作ユニット１３０は、開口部１０３Ａを主扉１０３の内側から塞ぐように設けられた支持板１３１に支持され、支持板１３１と副扉との間に収容されている。
【００２７】
手動操作ユニット１３０は、制御ユニット１２０が行う信号灯２の点灯の制御を手動制御に切り替え、利用者の手動操作の入力を受け付けて信号灯２の点灯を制御する機能を有する。
【００２８】
ブレーカユニット１４０は、本体１０２内に収容され、例えば制御ユニット１２０の下部に配置されている。
【００２９】
ブレーカユニット１４０は、商用電源Ｃ（からの電力供給ケーブル）と、第１の電力供給経路２７０との間に接続される。ブレーカユニット１４０は、商用電源Ｃから信号制御装置１００への電力供給経路を開閉したり、その電力供給経路に流れる電流が規定値を超えた場合には、電力供給を遮断したりする。
【００３０】
図４に示すように、信号制御装置１００はさらに、電源ユニット１５０を有する。電源ユニット１５０は、商用電源Ｃまたは図示しない外部電源からの交流電力を直流電力に変換し、制御ユニット１２０に直流電力を供給する。
【００３１】
これにより、制御ユニット１２０は、第１の電力供給経路２７０および第２の電力供給経路２８０のいずれか一方から電源ユニット１５０を介して供給される直流電力で駆動し、信号機１の信号灯２Ａ，２Ｂを制御する。
【００３２】
外部給電ユニット２００は、外部給電端子部２２０、手動切替スイッチ２３０、商用電源ランプ２４０（第１のランプ）、外部電源ランプ２５０（第２のランプ）、およびこれらを支持する支持体２６０を備える。
【００３３】
外部給電端子部２２０は、例えば災害時等の緊急時に外部電源に接続可能な外部電源供給用の端子部である。外部給電端子部２２０としては、規格化されたものが搭載され、例えば広く一般家庭にまで普及している電化製品用の端子部が搭載される。具体的な規格として、ＪＩＳ（Japanese Industrial Standards）では、C 8303などであり、ＩＥＣ（International Electrotechnical Commission）では、60884などである。このように規格化された外部給電端子部２２０であれば、外部給電機能を有する市販の装置や汎用のプラグまたはソケットを外部給電端子部２２０に接続することができる。これにより、信号制御装置１００への外部給電に利用できる装置の選択肢が増える。
【００３４】
図４に示すように、外部給電ユニット２００は、ブレーカユニット１４０を介して商用電源Ｃに接続可能である第１の電力供給経路２７０を備えている。また、外部給電ユニット２００は、外部給電端子部２２０に接続された第２の電力供給経路２８０を備えている。支持体２６０は、例えば板金を組み合わせた箱体で構成される。第１の電力供給経路２７０および第２の電力供給経路２８０は、具体的には支持体２６０に内蔵される電気ケーブルで構成される。
【００３５】
図３に示すように、外部給電ユニット２００は、電気ケーブル類を接続可能とした複数の端子台２１０を備えている。
【００３６】
手動切替スイッチ２３０は、手動操作による切り替えが可能なスイッチであり、具体的には、操作レバーを二つの切替位置（例えば図３では上下）のうちいずれか一方に動かされることによって配線の接続経路を切り替えるトグルスイッチである。この手動切替スイッチ２３０の各接点に、上記第１の電力供給経路２７０および第２の電力供給経路２８０がそれぞれ接続されている。手動切替スイッチ２３０により、これらの経路のうち一方が選択され、その電力は、電源ユニット１５０を介して制御ユニット１２０に供給される。
【００３７】
図４に示すように、手動切替スイッチ２３０が切り替えられる切替位置のうちの一方は、第１の電力供給経路２７０を信号制御装置１００の電源ユニット１５０に接続する第１の切替位置Ｐ１であり、図３では操作レバーを下方向に操作したときの位置である。切替位置のうちの他方は、第２の電力供給経路２８０を電源ユニット１５０に接続する第２の切替位置Ｐ２であり、図３では操作レバーを上方向に操作したときの位置である。
【００３８】
商用電源ランプ２４０および外部電源ランプ２５０は、例えば、手動切替スイッチ２３０の近傍にそれぞれ配置される。各ランプ２４０、２５０は、例えば、ＬＥＤ（Light Emitting Diode）、全波整流器、平滑コンデンサ、抵抗等を含むデバイスである。
【００３９】
図４に示すように、商用電源ランプ２４０（表示灯）は、第１の電力供給経路２７０に接続されている。商用電源ランプ２４０は、手動切替スイッチ２３０の切り替え位置に関わらず、商用電源Ｃから電力が供給されているときに点灯する。
【００４０】
外部電源ランプ２５０は、第２の電力供給経路２８０に接続されている。外部電源ランプ２５０は、手動切替スイッチ２３０の切り替え位置に関わらず、外部電源から電力が供給されているときに点灯する。
【００４１】
なお、図３に示すように、手動切替スイッチ２３０の切替位置に対応して「商用電源」、「外部電源」とそれぞれ記載された銘板２３１、２３２が、この外部給電ユニット２００の支持体２６０に取り付けられている。また、その手動切替スイッチ２３０の切替位置Ｐ１およびＰ２の配列に沿って、商用電源ランプ２４０、外部電源ランプ２５０が配置され、それらを記載した銘板２４１、２５１が支持体２６０に取り付けられている。
【００４２】
外部給電ユニット２００の支持体２６０は、信号制御装置１００に取り付け可能に構成されている。例えば、支持体２６０を形成している板金から延在するネジ止め部２６１等におけるネジ止めにより、外部給電ユニット２００は、信号制御装置１００に取り付け可能である。
【００４３】
また、これにより、同様に、外部給電ユニット２００を既設の信号制御機に取り付けることも可能である。例えば、図２に示すように、外部給電ユニット２００は、信号制御装置１００の本体１０２内に収容され、例えば本体１０２の縦方向（高さ方向）において中央より下部に配置されている。
【００４４】
なお、外部給電ユニット２００を信号制御装置１００に取り付ける前に、支持体２６０に、手動切替スイッチ２３０が配置された位置の前方および側方を囲う保護カバー２６２を取り付けてもよい（図２参照）。保護カバー２６２は、手動切替スイッチ２３０の２つの切替位置Ｐ１、Ｐ２の配列方向（例えば上下方向）に開口しており、この開口から利用者が手を入れて手動切替スイッチ２３０の操作ができるようになっている。これにより、手動切替スイッチ２３０を保護し、接触などによる誤操作を防ぐことができる。
【００４５】
図５は、制御ユニット１２０の処理手順を説明するフローチャートである。
【００４６】
制御ユニット１２０は、電源ユニット１５０から電源を供給されることで、信号機１の駆動を制御する。制御ユニット１２０は、手動切替スイッチ２３０のスイッチ状態（切替位置Ｐ１，Ｐ２）に応じて、信号機１の制御モードを決定する（ステップＳ１０１）。すなわち制御ユニット１２０は、手動切替スイッチ２３０が第１の状態（切替位置Ｐ１）のとき第１の制御モードを実行し（ステップＳ１０２）、手動切替スイッチ２３０が第２の状態（第２の位置Ｐ２）のとき第２の制御モードを実行する（ステップＳ１０３）。
【００４７】
第１の制御モードは、電力源が商用電源のときに実行される制御モードであり、信号機１を通常の駆動電力で駆動させる。すなわち第１の制御モードは、通常の消費電力（第１の消費電力）で信号機１を駆動し、これにより信号灯２Ａ，２Ｂを通常の発光輝度で点灯させ、センサによる交通量の検出機能や通信機能を通常どおり作動させる。
【００４８】
一方、第２の制御モードは、電力源が外部電源のときに実行される省エネルギー制御モードであり、信号機１を非常時の駆動電力で駆動させる。すなわち第２の制御モードは、通常の消費電力よりも低い消費電力（第２の消費電力）で信号機１を駆動し、外部電源の長寿命化を図る。
【００４９】
第２の制御モードによる制御例は、非常時における信号機１の最小限の機能を確保できれば特に限定されず、例えば、信号灯２Ａ，２Ｂの発光輝度を通常の発光輝度よりも低下させる、信号灯２Ａ，２Ｂのうち信号２Ｂを滅灯させる、交通量検出センサの動作を停止させる、通信機能を停止させる等、信号機１の機能の一部を制限するような制御が実行される。これにより信号機１の駆動に必要な電力が低減するため、停電後においても長時間にわたって信号機１による交通制御が可能となる。
【００５０】
制御ユニット１２０は、手動切替スイッチ２３０が切替位置Ｐ１にあるとき（第１の状態）、第１の制御モードを実行し、手動切替スイッチ２３０が切替位置Ｐ２にあるとき（第２の状態）、第１の制御モードに代えて、第２の制御モードを実行する。
【００５１】
信号制御装置１００は、手動切替スイッチ２３０の切替位置情報を制御ユニット１２０へ出力する信号ラインＳｖを有する。典型的には、信号ラインＳｖは、手動切替スイッチ２３０が第２の状態にあるときに当該状態信号が制御ユニット１２０へ出力する。これにより制御ユニット１２０は、第１の状態から第２の状態への手動切替スイッチ２３０の切替操作に連動して、信号機の駆動を第１の制御モードから第２の制御モードへ切り替えることが可能となる。
【００５２】
次に、以上のように構成された信号制御装置１００の典型的な動作を説明する。
【００５３】
非停電時、手動切替スイッチ２３０は切替位置Ｐ１に切り替えられる。これにより商用電源が電源ユニット１５０を介して制御ユニット１２０へ投入され、制御ユニット１２０によって信号機１が第１の制御モードで駆動制御される。
【００５４】
一方、災害や送電トラブル等により停電が発生した場合、利用者（例えば警察官）は、主扉１０３を開け、図示しない外部電源を外部給電端子部２２０に接続し、手動切替スイッチ２３０を第２の電力供給経路２８０に接続する（図４の第２の切替位置Ｐ２）。これにより制御ユニット１２０は、商用電源を電力源に用いて信号機１の駆動を制御する第１の制御モードから、外部電源を電力源に用いて信号機１の駆動を制御する第２の制御モードへ切り替える。
【００５５】
本実施形態において制御ユニット１２０は、手動切替スイッチ２３０が第２の状態のときは、商用電源で信号機の駆動を制御する通常時と比較して少ない消費電力で信号機の駆動を制御するように構成されているため、非常時における信号機１の省エネルギー制御が可能となり、外部電源の長寿命化を図ることができる。
【００５６】
信号制御装置１００は、商用電源を用いた信号機の駆動制御と、外部電源を用いた信号機の駆動制御とを手動切替スイッチ２３０によって切り替えるように構成される。これにより停電および復電を検出するためのセンサや回路が不要となるため、システムを簡素化することができるとともに、電源の切替動作が確実となるため、システムの誤作動を防ぐことができる。
【００５７】
また、制御ユニット１２０は、第１の状態から第２の状態への手動切替スイッチ２３０の切替操作に連動して、信号機１の駆動を第１の制御モードから第２の制御モードへ切り替える。これにより電源の切替と信号機の駆動モードの切替とを単一のスイッチで行うことができるとともに、操作性および動作の確実性を高めることができる。
【００５８】
しかも、外部電源から電力が供給されているときに外部電源ランプ２５０が点灯する。これにより、利用者は外部給電端子部２２０に接続した外部電源からの給電の状態を目視により確認することができる。すなわち、外部電源ランプ２５０が点灯していれば、外部電源による電力供給があることを確認できる。
【００５９】
外部電源としては、典型的には、警察車両に搭載されたバッテリーや発電機であり、例えば給電可能型の電気自動車またはハイブリッド自動車に搭載されたバッテリー等である。もちろん、外部電源は車両に搭載される機器に限られないことは言うまでもない。
【００６０】
外部電源から電力が供給され、外部電源ランプ２５０が点灯している場合であっても、停電から復帰した場合には、商用電源ランプ２４０が点灯する。これにより、利用者は、商用電源の復電を簡単に確認することができる。そうすれば、利用者は、その時点で手動切替スイッチ２３０を第１の電力供給経路２７０への接続に戻すことで（図４の第１の切替位置Ｐ１）、信号機１の駆動が第２の制御モードから第１の制御モードへ切り替えられることになる。
【００６１】
ここで、商用電源ランプ２４０および外部電源ランプ２５０の位置は、手動切替スイッチ２３０の各切替位置Ｐ１およびＰ２に対応しているため、接続先の電源を利用できるか否かが視覚的にわかりやすくなっている。例えば、上記のように停電から復帰して商用電源ランプ２４０が点灯した場合、手動切替スイッチ２３０を、これらのランプの配列方向における商用電源ランプ２４０側に対応する方向に切り替えることで、第１の電力供給経路２７０に接続し、商用電源を使用することができる。これにより、手動切替スイッチ２３０の切り替え先の判断を容易にし、誤操作を抑制することができる。
【００６２】
なお図４に示すように、外部給電時に、商用電源と電源ユニット１５０とを確実に遮断することができるため、停電から復帰した場合であっても、商用電源から電源ユニット１５０を介して、外部電源に電流が逆流することはない。
【００６３】
さらに本実施形態では、外部電源に接続可能な端子部が、従来のように電源箱に設けられるのではなく、外部給電端子部２２０を備える外部給電ユニット２００が信号制御装置１００に取り付け可能に設けられるので、外部給電の作業性を高めることができる。すなわち、一般的に支柱の高い位置に設置されている電源箱に、外部給電用のケーブルを接続する必要がなく、信号制御装置１００の筐体１０１内の外部給電端子部２２０に外部電源を接続すればよいので、作業性が向上し、迅速な対応が可能となる。
【００６４】
従来の電源箱は、地方自治体ごとに異なる特殊なコネクタを備え、利用者はそのコネクタに合う専用ケーブルを使用していたので、不便であった。これに対し本実施形態に係る外部給電ユニット２００を有する信号制御装置１００は、規格化された外部給電端子部２２０を備えるので、上述したように外部給電に利用できる装置の選択肢が増える。
【００６５】
この外部給電ユニット２００は、利用者の手動操作により電源が切り替えられる手動切替スイッチ２３０を用いるため、電磁スイッチのような複雑な機構が不要となる。このような外部給電ユニット２００の簡易な構成により、取り扱い容易で故障しにくいユニットとして実現することができる。
【００６６】
特に、支持体２６０は箱体であるので、その箱体内に第１の電力供給経路２７０および第２の電力供給経路２８０の電気ケーブルを収容することができる。これにより、外部給電ユニット２００をパッケージング化し、既設の信号制御機への設置が容易な１個のユニットとして提供することができる。
【００６７】
本発明は、以上説明した実施形態に限定されず、他の種々の実施形態を実現することができる。
【００６８】
例えば以上の実施形態では、停電時における信号機１の駆動制御モード（第２の制御モード）として、信号灯の輝度制限、信号灯の一部の滅灯、センサ機能や通信機能の動作停止等を例に挙げて説明したが、これらの機能制限は個々に行われてもよいし、同時に行われてもよい。外部電源の使用時間に応じて、機能の制限範囲を変化させてもよい。
【００６９】
外部給電端子部２２０は、複数設けられていてもよい。これにより、信号制御装置に複数の外部電源を接続することが可能となり、信号制御機に複数の外部電源からの外部給電を行うことができる。
【００７０】
信号制御装置１００は、商用電源ランプ２４０および外部電源ランプ２５０を備えていたが、これらのランプを備えていなくてもよい。また、これらのランプのうち、商用電源ランプ２４０のみを備えていてもよく、その場合にも、商用電源からの電力が供給可能であることを簡単に確認することができるという利点がある。
【００７１】
また、手動切替スイッチ２３０は、例えばトグルスイッチで構成されたが、これに限られず、タクトスイッチ、ディップスイッチ、またはその他の公知のスイッチであってもよい。
【符号の説明】
【００７２】
２Ａ，２Ｂ…信号灯
１００…信号制御装置
１２０…制御ユニット
２００…外部給電ユニット
２２０…外部給電端子部
２３０…手動切替スイッチ
２７０…第１の電力供給経路
２８０…第２の電力供給経路
Ｃ…商用電源
【図１】
2015141654.tif 000003
【図２】
2015141654.tif 000004
【図３】
2015141654.tif 000005
【図４】
2015141654.tif 000006
【図５】
2015141654.tif 000007